【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
光を発生する光供給部と、
前記光供給部から出射された光の経路をガイドする導光板と、
前記導光板が装着される底面及び前記底面から前記導光板を収納する収納空間を形成するように延長された側壁を含み、前記光供給部及び前記導光板を収納する収納容器と、
前記収納容器の側壁と隣接した本体及び前記導光板の移動を防止するように前記本体の第１端部から前記収納空間の内側に延長され形成された第１支持部を含み、前記収納容器と結合して前記導光板を固定する固定部材と、
を含むことを特徴とするバックライトアセンブリ。
【請求項２】
前記導光板は、
前記光供給部からの光が入射される入射面と、
前記入射面の第１端部から延び、前記光を出射する出射面と、
前記入射面の第２端部から前記出射面と向かい合うように延び、前記入射された光の経路を変更して前記出射面側に提供するガイド面と、を含むことを特徴とする請求項１記載のバックライトアセンブリ。
【請求項３】
前記第１支持部は、前記入射面の少なくとも一つの角に隣接して位置することを特徴とする請求項２記載のバックライトアセンブリ。
【請求項４】
前記固定部材は、前記本体の第２端部から前記第１支持部と向かい合うように延び、前記収納容器と結合する第２支持部を更に含み、
前記収納容器の側壁は、背面に前記第２支持部が挿入される挿入溝を具備することを特徴とする請求項１記載のバックライトアセンブリ。
【請求項５】
前記収納容器の側壁は、背面に前記固定部材と結合するための締結溝を具備し、
前記本体は、前記締結溝と対応する位置に形成された結合溝を具備することを特徴とする請求項１記載のバックライトアセンブリ。
【請求項６】
前記光供給部は、
電源の提供を受けて前記光を発生するランプと、
前記ランプの端部に位置して、前記ランプを固定するランプホルダーと、
前記ランプを収納して、前記ランプからの光を前記導光板に反射するランプカバーと、を含むことを特徴とする請求項５記載のバックライトアセンブリ。
【請求項７】
前記第１支持部の一端部は前記導光板と重なり、
前記第１支持部と前記導光板が重なる領域は、前記ランプホルダーと前記導光板とが重なる領域と同じであることを特徴とする請求項６記載のバックライトアセンブリ。
【請求項８】
前記ランプカバーは、前記収納容器と結合するための結合ホールを具備し、
前記ランプカバー及び前記固定部材は、前記結合ホール及び前記結合溝を貫通して前記締結溝に締結されるスクリューを利用して、前記収納容器と結合することを特徴とする請求項６記載のバックライトアセンブリ。
【請求項９】
前記光供給部は、前記ランプの端部に具備され前記電源を前記ランプに提供するワイヤーを更に具備し、
前記収納容器に、光供給部が収納される側壁に前記ワイヤーの位置をガイドする収納溝が形成されたことを特徴とする請求項６記載のバックライトアセンブリ。
【請求項１０】
前記収納容器に、前記収納溝と隣接して前記ワイヤーを固定する固定ホールが形成されたことを特徴とする請求項９記載のバックライトアセンブリ。
【請求項１１】
前記第１支持部は、前記光供給部の非発光領域内に位置することを特徴とする請求項１記載のバックライトアセンブリ。
【請求項１２】
前記固定部材は、金属材質で形成されることを特徴とする請求項１記載のバックライトアセンブリ。
【請求項１３】
前記導光板と前記収納容器との間に具備され、前記導光板の背面から出射された光を反射する反射シートを更に含むことを特徴とする請求項１記載のバックライトアセンブリ。
【請求項１４】
前記導光板の背面に付着され前記導光板を固定する第１接着部材を更に具備することを特徴とする請求項１３記載のバックライトアセンブリ。
【請求項１５】
前記反射シートは、前記第１接着部材が具備された領域を除いた領域に配置され、
前記第１接着部材は、前記ガイド面と前記収納容器の底面との間に配置されることを特徴とする請求項１４記載のバックライトアセンブリ。
【請求項１６】
前記収納容器は、前記導光板が水平を維持するように、前記第１接着部材と接する領域に前記底面から突出して形成された突起を具備することを特徴とする請求項１５記載のバックライトアセンブリ。
【請求項１７】
前記反射シートの背面に付着され前記反射シートを固定する第２接着部材を更に含み、
前記第１接着部材は、前記ガイド面と前記反射シートとの間に設けられることを特徴とする請求項１４記載のバックライトアセンブリ。
【請求項１８】
前記第１及び第２接着部材は、両面テープであることを特徴とする請求項１７記載のバックライトアセンブリ。
【請求項１９】
前記固定部材は、前記光供給部の第１端部に隣接して配置される第１固定部材であり、
前記バックライトアセンブリは、前記光発生部の第２端部に隣接して配置される第２固定部材を更に含むことを特徴とする請求項１記載のバックライトアセンブリ。
【請求項２０】
前記固定部材は、非接着剤であることを特徴とする請求項１記載のバックライトアセンブリ。
【請求項２１】
前記導光板の一つの面に前記光供給部から入射された光の経路を変更して出射するプリズムパターンが形成されたことを特徴とする請求項１記載のバックライトアセンブリ。
【請求項２２】
光の提供を受けて画像を表示する表示パネルと、
前記光を発生する光供給部、前記光供給部から入射された光の経路をガイドして前記表示パネルに提供する導光板、前記光供給部及び前記導光板を収納する収納容器、及び前記収納容器と結合して前記導光板を固定する固定部材を含むバックライトアセンブリと、を含むことを特徴とする表示装置。
【請求項２３】
前記収納容器は、
前記導光板が装着される底面と、
前記底面から前記導光板を収納する収納空間を形成するように延び、前記固定部材と結合するための挿入溝が形成された側壁と、
を含むことを特徴とする請求項２２記載の表示装置。
【請求項２４】
前記固定部材は、
本体と、
前記導光板の移動を防止するように、前記本体の第１端部から前記収納空間の内側に延びるように形成された第１支持部と、
前記本体の第２端部から第１方向に前記第１支持部と向かい合うように延び、前記挿入溝に挿入される第２支持部と、
を含むことを特徴とする請求項２３記載の表示装置。
【請求項２５】
前記第１支持部の一端部は、前記光供給部からの光が入射される前記導光板の入射面と重なることを特徴とする請求項２４記載の表示装置。
【請求項２６】
前記収納容器の底面は開口部を含み、
前記導光板と向かい合う前記底面の内面は、それぞれ、開口部と隣接する部分に近づくほど、漸次厚さが薄くなるように形成されることを特徴とする請求項２３記載の表示装置。
【請求項２７】
前記収納容器は前記表示パネルを収納し、
前記収納容器の側壁の角には、前記表示パネルの位置をガイドするためのガイド部が設けられることを特徴とする請求項２３記載の表示装置。
【請求項２８】
前記導光板の一つの面に前記光供給部から入射された光の経路を変更して前記表示パネルに提供するプリズムパターンが形成され、
前記プリズムパターンは、前記光供給部の長手方向と直交する方向に延びることを特徴とする請求項２２記載の表示装置。
【請求項２９】
前記表示パネルが水平に維持されるように、前記ランプカバーと前記表示パネルとの間に設けられるガイドパッドを更に含み、前記ガイドパッドは、ゴム材質で形成されることを特徴とする請求項２８記載の表示装置。
【請求項３０】
前記バックライトアセンブリは、前記導光板の下に具備され前記導光板から入射された光を反射する反射シート、及び前記導光板の背面に付着され前記導光板を固定する接着部材を更に含むことを特徴とする請求項２２記載の表示装置。
【請求項３１】
前記バックライトアセンブリは、前記導光板と前記収納容器の底面との間に介在され前記導光板を前記収納容器に固定する接着部材を更に含み、
前記収納容器の底面には、前記導光板が水平を維持するように前記接着部材と対応する領域に前記導光板を支持する突起が形成されたことを特徴とする請求項２２記載の表示装置。
【請求項３２】
前記バックライトアセンブリは、前記導光板の下に具備され前記導光板から入射された光を反射する反射シート、前記導光板と前記反射シートとの間に介在され前記導光板を前記反射シートに固定する第１接着部材、及び前記反射シートの背面に付着され前記反射シートを固定する第２接着部材を更に含むことを特徴とする請求項２２記載の表示装置。
【請求項３３】
前記バックライトアセンブリは、前記ランプを収納して前記ランプからの光を前記導光板に反射するランプカバー、前記導光板の背面に具備され前記導光板から入射された光を反射する反射シート、及び前記導光板の背面と前記ランプカバーとの間に配置され前記導光板を前記ランプカバーに固定する接着部材を具備するバックライトアセンブリを含み、
前記ランプカバーは、前記接着部材が付着された領域に、前記導光板が水平を維持するように、前記導光板を支持する突起が形成されることを特徴とする表示装置。